(57)【要約】【課題】業務改善提案がなされてからそれに対する評価がされるまでの一連の過程を円滑に進行させることができるようにする。【解決手段】提案者コンピュータ、担当選定コンピュータ、審査コンピュータ、評価コンピュータを含み、提案者コンピュータは、業務改善提案の入力を受け付けてこれを記載した業務改善提案データを担当選定コンピュータに送信し、担当選定コンピュータは、業務改善提案データを受信してこれを審査する審査担当者が操作する審査コンピュータを選定してその審査コンピュータに業務改善提案データを送信し、審査コンピュータは、業務改善提案データを受信してその審査項目別の評価点の入力を審査担当者から受け付けてその評価点を評価コンピュータに送信し、評価コンピュータは、受信した評価点を審査項目別に重みづけして合計することにより評価値を求めるように構成された業務改善提案審査システムを提供する。【選択図】  図１
2006031242.tif 000002
【特許請求の範囲】
【請求項１】
組織における業務改善提案の審査に用いられる業務改善提案審査システムであって、
互いに通信可能に接続される、業務改善提案の提案者が操作する提案者コンピュータ、審査担当者を選定する担当選定コンピュータ、審査担当者が操作する審査コンピュータ、及び業務改善提案の評価値を求める評価コンピュータ、を含み、
前記提案者コンピュータは、前記業務改善提案の入力を受け付けて、受け付けた前記業務改善提案の内容が記載された業務改善提案データを前記担当選定コンピュータに送信し、
前記担当選定コンピュータは、前記業務改善提案データを受信して、受信した前記業務改善提案データを審査する審査担当者が操作する審査コンピュータを選定し、選定した前記審査コンピュータに前記業務改善提案データを送信し、
前記審査コンピュータは、前記業務改善提案データを受信して、受信した業務改善提案データについての審査項目別の評価点の入力を前記担当者から受け付け、受け付けた前記評価点を前記評価コンピュータに送信し、
前記評価コンピュータは、前記評価点を受信して、前記評価点を前記審査項目別に重みづけして合計することにより評価値を求めること、
を特徴とする業務改善提案審査システム。
【請求項２】
請求項１に記載の前記業務改善提案審査システムにおける前記担当選定コンピュータとして機能するコンピュータであって、
前記業務改善提案審査システムが適用される組織における部門を特定する部門コードと、前記部門が担当する業務に関する用語である第一の用語と、が対応づけて登録されている部門データベースと、
前記部門コードと、前記審査コンピュータを特定する情報と、前記審査コンピュータを操作する前記審査担当者が過去に行った審査回数と、が対応づけて登録されている担当者データベースと、
前記業務改善提案データに記載されている前記業務改善提案の題名、前記業務改善提案の概要を記述している単語、又は前記提案者によって設定されたキーワードのうちの少なくともいずれかに一致又は類似する前記第一の用語を前記部門データベースから検索し、さらに、前記担当者データベースから、検索された前記第一の用語に対応づけられている前記部門コードに対応づけられている前記審査コンピュータを特定する情報のうち、前記情報に対応づけられている前記審査回数が最も少ないものを選定する用語検索部と、
選定した前記審査コンピュータを特定する情報を有する前記審査コンピュータに前記業務改善提案データを送信するデータ送信部と、
を備えることを特徴とするコンピュータ。
【請求項３】
請求項１に記載の前記業務改善提案審査システムにおける前記担当選定コンピュータとして機能するコンピュータであって、
前記業務改善提案審査システムが適用される組織における部門を特定する部門コードと、前記部門が担当する業務に関する用語である第一の用語と、が対応づけて登録されている部門データベースと、
前記部門コードと、前記審査コンピュータを特定する情報と、前記審査コンピュータを操作する前記審査担当者の専門分野に関する用語である第二の用語と、が対応づけて登録されている担当者データベースと、
前記業務改善提案データに記載されている前記業務改善提案の題名、前記業務改善提案の概要を記述している単語、又は前記提案者によって設定されたキーワードのうちの少なくともいずれかに一致又は類似する前記第一の用語を前記部門データベースから検索し、さらに、前記担当者データベースから、検索された前記第一の用語に対応づけられている前記部門コードに対応づけられている前記審査コンピュータを特定する情報のうち、前記業務改善提案データに含まれている前記業務改善提案の題名、前記業務改善提案の概要を記述している単語、又は前記提案者によって設定されたキーワードのうちの少なくともいずれかに一致又は類似する前記第二の用語が対応づけられているものを選定する用語検索部と、
選定した前記審査コンピュータを特定する情報を有する前記審査コンピュータに前記業務改善提案データを送信するデータ送信部と、
を備えることを特徴とするコンピュータ。
【請求項４】
請求項２に記載の前記業務改善提案審査システムにおける前記担当選定コンピュータとして機能するコンピュータであって、
前記用語検索部は、まず前記題名に一致又は類似する前記第一の用語を前記部門データベースから検索し、当該検索によって検索結果が得られない場合には、次に前記概要を記述している単語に一致又は類似する前記第一の用語を前記部門データベースから検索すること、
を特徴とするコンピュータ。
【請求項５】
請求項２に記載の前記業務改善提案審査システムにおける前記担当選定コンピュータとして機能するコンピュータであって、
前記用語検索部は、まず前記キーワードに一致又は類似する前記第一の用語を前記部門データベースから検索し、当該検索によって検索結果が得られない場合には、次に前記題名に一致又は類似する前記第一の用語を前記部門データベースから検索し、当該検索によって検索結果が得られない場合には、前記概要を記述している単語に一致又は類似する前記第一の用語を前記部門データベースから検索すること、
を特徴とするコンピュータ。
【発明の詳細な説明】
【技術分野】
【０００１】
この発明は、業務改善提案がなされてからそれに対する評価がなされるまでの一連の過程を円滑に進行させる技術に関し、とくに業務改善提案審査システム及びこれに用いられるコンピュータに関する。
【背景技術】
【０００２】
企業間競争力の維持確保を図るべく、近年、多くの企業においては、従業員等が日々行っている業務についての改善策を提案させる、いわゆる業務改善提案制度の導入が積極的に進められている。また、官公庁や教育機関、病院等の非営利組織においても、健全な組織運営やサービス・質の向上を目的として、業務改善提案制度を導入している事例が増加している。
【０００３】
業務改善提案を支援する方法やシステムについては従来から様々な提案がなされている。例えば、特許文献１には、ＡＢＣ／ＡＢＭ等の業務活動の個々を活動原価という形で把握するシステムにおけるデータ入力を簡単かつ継続的に行えるようにしたシステムが開示されている。また、特許文献２には、データフローダイアグラムを客観的に分析して現状業務の分析を高い効率で行うようにし、業務改善を効率的に支援する業務改善支援装置について開示されている。特許文献３には、施策策定者、実行者個々人の暗黙知を型式知化し会社全体で共有し、その共有ナレッジを活用することで、通常の情報システムで、施策の推奨に必要とされる豊富な情報がなくても、よりパフォーマンスが高い施策を施策策定者、実行者個々人に推奨し、推奨した施策の実行を管理・支援することができる業務改善支援システム等が開示されている。特許文献４には、製造業等において業務改善型活動基準分析をする際に、製造システム運営を担う一連の作業を現状のビジネスプロセスとして整理し、そのビジネスを活動単位に細かく分類し、活動単位に実際作業者がどれくらい時間をかけているか、何回実施しているかを測定し、測定した値（時間、回数）に作業者のコスト（標準時間単価）を掛け合わせ、集計することで活動単位あたりの活動コストを算出するようにした情報収集分析装置について開示されている。特許文献５には、部門の業務改善に関する目標値データ及びそれを達成するための計画内容データを受け付け、目標値データ及び計画内容データをデータベースに格納し、部門より業務完了データを受け付けたときに、業務完了データと目標値データとに基づいて業務改善の改善値を算出する業務改善支援方法について開示されている。さらに、特許文献６には、表計算ソフトウエアによって作成される集計表において、最左欄のセルを改善提案物件名記入欄と定義し、改善提案物件毎に行方向に現況記入欄と、この現況記入欄に対応する改善提案欄とを交互に配置すると共に、現況記入欄から改善提案欄に向かって矢印を表記することにより現況と改善後とを対比させて表示し、各行の右方に現況の集計欄と、改善後の集計欄、これらの集計欄の集計額の差を表記する改善効果表示欄を設けた改善提案表について開示されている。
【特許文献１】特開２００３−１４１３１８号公報
【特許文献２】特開平９−２４５０８７号公報
【特許文献３】特開２００２−２６９３２９号公報
【特許文献４】特開２００３−６７４５２号公報
【特許文献５】特開２００３−３４５９７３号公報
【特許文献６】特開２００１−３０７００９号公報
【発明の開示】
【発明が解決しようとする課題】
【０００４】
ところで、営業部門や技術部門、基幹部門などの複数かつ多数の部門を抱える大規模な組織においては、業務改善提案は多部門から多様な観点からなされることになり、また、組織のメンバーの個々人の専門分野や得意分野は細分化されていることが少なくない。このため、業務改善提案を評価する担当者の選定に苦慮することになる。このように、組織において、メンバーから発案された業務改善提案について、その評価を適正に行うことは大変に難しい。また、大規模組織等では、発生する業務改善提案の数は相当数に上り、業務改善提案がなされてからそれに対する評価がされるまでの一連の過程を円滑に進行させるための仕組みが必要となる。
【０００５】
しかしながら、業務改善提案を支援する方法やシステムについては上記のように様々な提案がなされているが、業務改善提案を評価するのに相応しい担当者を的確に選択したり、業務改善提案がなされてからそれに対する評価がされるまでの一連の過程を円滑に進行させたりする仕組みについては特に言及されていない。
【０００６】
本発明はこのような背景に鑑みてなされたもので、業務改善提案がなされてからそれに対する評価がされるまでの一連の過程を円滑に進行させることができる業務改善提案審査システム及びこれに用いられるコンピュータを提供することを目的とする。
【課題を解決するための手段】
【０００７】
上記目的を達成するための本発明の請求項１に記載の発明は、組織における業務改善提案の審査に用いられる業務改善提案審査システムであって、互いに通信可能に接続される、業務改善提案の提案者が操作する提案者コンピュータ、審査担当者を選定する担当選定コンピュータ、審査担当者が操作する審査コンピュータ、及び業務改善提案の評価値を求める評価コンピュータ、を含み、前記提案者コンピュータは、前記業務改善提案の入力を受け付けて、受け付けた前記業務改善提案の内容が記載された業務改善提案データを前記担当選定コンピュータに送信し、前記担当選定コンピュータは、前記業務改善提案データを受信して、受信した前記業務改善提案データを審査する審査担当者が操作する審査コンピュータを選定し、選定した前記審査コンピュータに前記業務改善提案データを送信し、前記審査コンピュータは、前記業務改善提案データを受信して、受信した業務改善提案データについての審査項目別の評価点の入力を前記担当者から受け付け、受け付けた前記評価点を前記評価コンピュータに送信し、前記評価コンピュータは、前記評価点を受信して、前記評価点を前記審査項目別に重みづけして合計することにより評価値を求めることとする。
【０００８】
この発明によれば、業務改善提案を評価するのに相応しい担当者を的確に選択することが可能となる。また、業務改善提案がなされてからそれに対する評価がされるまでの一連の過程を円滑に進行させることが可能となる。
【０００９】
本発明のうち請求項２に記載の発明は、請求項１に記載の前記業務改善提案審査システムにおける前記担当選定コンピュータとして機能するコンピュータであって、前記業務改善提案審査システムが適用される組織における部門を特定する部門コードと、前記部門が担当する業務に関する用語である第一の用語と、が対応づけて登録されている部門データベースと、前記部門コードと、前記審査コンピュータを特定する情報と、前記審査コンピュータを操作する前記審査担当者が過去に行った審査回数と、が対応づけて登録されている担当者データベースと、前記業務改善提案データに記載されている前記業務改善提案の題名、前記業務改善提案の概要を記述している単語、又は前記提案者によって設定されたキーワードのうちの少なくともいずれかに一致又は類似する前記第一の用語を前記部門データベースから検索し、さらに、前記担当者データベースから、検索された前記第一の用語に対応づけられている前記部門コードに対応づけられている前記審査コンピュータを特定する情報のうち、前記情報に対応づけられている前記審査回数が最も少ないものを選定する用語検索部と、選定した前記審査コンピュータを特定する情報を有する前記審査コンピュータに前記業務改善提案データを送信するデータ送信部と、を備えることとする。
【００１０】
この発明によれば、業務改善提案を審査する部門及び審査担当者が操作する審査コンピュータが業務改善提案の内容に基づいて選定されるので、業務改善提案を評価するのに相応しい担当者を的確に選定することができる。また、過去に行った審査回数の最も少ない者が優先して審査担当者に選定されるので、審査担当者個々人の負担を均等化することができ、また、複数の審査担当者によって審査がなされることで、偏った審査が行われるのを防ぐことができ、これにより審査を適正に実施することができる。
【００１１】
また、本発明のうち請求項３に記載の発明は、請求項１に記載の前記業務改善提案審査システムにおける前記担当選定コンピュータとして機能するコンピュータであって、前記業務改善提案審査システムが適用される組織における部門を特定する部門コードと、前記部門が担当する業務に関する用語である第一の用語と、が対応づけて登録されている部門データベースと、前記部門コードと、前記審査コンピュータを特定する情報と、前記審査コンピュータを操作する前記審査担当者の専門分野に関する用語である第二の用語と、が対応づけて登録されている担当者データベースと、前記業務改善提案データに記載されている前記業務改善提案の題名、前記業務改善提案の概要を記述している単語、又は前記提案者によって設定されたキーワードのうちの少なくともいずれかに一致又は類似する前記第一の用語を前記部門データベースから検索し、さらに、前記担当者データベースから、検索された前記第一の用語に対応づけられている前記部門コードに対応づけられている前記審査コンピュータを特定する情報のうち、前記業務改善提案データに含まれている前記業務改善提案の題名、前記業務改善提案の概要を記述している単語、又は前記提案者によって設定されたキーワードのうちの少なくともいずれかに一致又は類似する前記第二の用語が対応づけられているものを選定する用語検索部と、選定した前記審査コンピュータを特定する情報を有する前記審査コンピュータに前記業務改善提案データを送信するデータ送信部と、を備えることとする。
【００１２】
この発明によれば、業務改善提案を審査する部門及び審査担当者が操作する審査コンピュータが業務改善提案の内容に基づいて選定されるので、業務改善提案を評価するのに相応しい担当者を的確に選定することができる。また、業務改善提案の内容と審査コンピュータを操作する審査担当者の専門分野に関する用語である第二の用語とを比較することにより審査担当者を選定するので、その業務改善提案を審査するのに最も相応しい審査担当者を選定することができ、これにより審査を適正に実施することができる。
【００１３】
本発明のうち請求項４に記載の発明は、請求項２に記載の前記業務改善提案審査システムにおける前記担当選定コンピュータとして機能するコンピュータであって、前記用語検索部は、まず前記題名に一致又は類似する前記第一の用語を前記部門データベースから検索し、当該検索によって検索結果が得られない場合には、次に前記概要を記述している単語に一致又は類似する前記第一の用語を前記部門データベースから検索することとする。
【００１４】
業務改善提案に題名として記述されている内容には、通常はその業務改善提案の分野や特徴を端的に表現している用語が含まれている。従って、題名を優先して検索キーとして採用することで、その業務改善提案の審査をするのに相応しい審査担当者を的確に選定することができる。
【００１５】
本発明のうち請求項５に記載の発明は、請求項２に記載の前記業務改善提案審査システムにおける前記担当選定コンピュータとして機能するコンピュータであって、前記用語検索部は、まず前記キーワードに一致又は類似する前記第一の用語を前記部門データベースから検索し、当該検索によって検索結果が得られない場合には、次に前記題名に一致又は類似する前記第一の用語を前記部門データベースから検索し、当該検索によって検索結果が得られない場合には、前記概要を記述している単語に一致又は類似する前記第一の用語を前記部門データベースから検索することとする。
【００１６】
本発明によれば、業務改善提案の内容にキーワードの記述欄を設けている場合には、提案者自らが設定したキーワードが優先して検索キーとして採用される。これにより業務改善提案の審査をするのに相応しい審査担当者を的確に選定することができる。
【発明の効果】
【００１７】
本発明によれば、業務改善提案がなされてからそれに対する評価がされるまでの一連の過程を円滑に進行させることが可能となる。
【発明を実施するための最良の形態】
【００１８】
以下、本発明の一実施形態による業務改善提案審査システムについて詳細に説明する。業務改善提案審査システムは、複数の部門を有する組織における業務改善提案の審査業務に適用されるシステムである。組織が企業であるならば、上記部門は、例えば、営業部門や製造部門、基幹部門等である。業務改善提案審査システムは、組織のメンバーたる提案者が提案した業務改善提案について、その内容に応じてそれを審査するのに相応しい担当者を的確に選定し、業務改善提案についての審査が適正に実施されるように支援する。また、業務改善提案審査システムは、提案者や担当者の審査業務を支援することにより、業務改善提案の提案から審査、評価までの一連の過程が円滑に進められるようにする。
【００１９】
図１に業務改善提案審査システム１の概略的な構成を示している。業務改善提案審査システム１は、少なくとも一台以上の提案者コンピュータ１０、担当選定コンピュータ１１、少なくとも一台以上の審査コンピュータ１２、及び評価コンピュータ１３、の４種のコンピュータを含んで構成されている。これらはＬＡＮ（Local Area Network）やＷＡＮ（Wide Area Network）などの通信ネットワーク２を介して互いに通信可能に接続されている。担当選定コンピュータ１１及び評価コンピュータ１３は、例えば、組織における業務改善提案についての管理を行っている管理部門に所属するコンピュータである。企業等の組織においては総務部や業務管理部等の部門が上記管理部門となる。提案者コンピュータ１０及び審査コンピュータ１２は、例えば、組織のメンバーの個々人に割り当てられているコンピュータである。なお、本実施形態においては、組織のメンバーであるならば、誰でも業務改善提案の提案者となりうるものとする。また、業務改善提案の審査は、その業務改善提案を審査するのに相応しい担当者（以下、審査担当者と称する）によって行われるように運用されているものとする。
【００２０】
図１に示す提案者コンピュータ１０は、業務改善提案の提案者によって操作されるコンピュータである。提案者コンピュータ１０は、提案者から業務改善提案の内容の入力を受け付けて、受け付けた内容を記載したデータ（以下、業務改善提案データと称する）を担当選定コンピュータ１１に送信する。担当選定コンピュータ１１は、受信した業務改善提案データを審査する審査担当者によって操作される審査コンピュータを選定し、選定した審査コンピュータ１２に対して業務改善提案データを送信する。審査コンピュータ１２は、担当選定コンピュータ１１から送信されてくる業務改善提案データを受信して、受信した業務改善提案データについての審査項目別の評価点の入力を審査担当者から受け付ける。そして、審査コンピュータ１２は、受け付けた評価点を評価コンピュータ１３に送信する。評価コンピュータ１３は、審査コンピュータ１２から送信されてくる審査項目別の評価点を受信して、受信した各評価点を審査項目別に重みづけして合計することにより評価値を算出する。
【００２１】
上記４種のコンピュータのハードウエアは、例えば、パーソナルコンピュータやオフィスコンピュータ、メインフレーム等である。図２に提案者コンピュータ１０、担当選定コンピュータ１１、審査コンピュータ１２、及び評価コンピュータ１３として用いられるコンピュータのハードウエアの一例を示している。同図に示すコンピュータは、ＣＰＵ２１、ＲＡＭ／ＲＯＭ等のメモリ２２、ハードディスク２３、キーボードやマウスなどの入力装置２４、ディスプレイなどの表示装置２５、通信ネットワーク２に接続するための通信インタフェース２６を備えている。提案者コンピュータ１０、担当選定コンピュータ１１、審査コンピュータ１２及び評価コンピュータ１３においては、ＣＰＵ２１がメモリ２２に記憶されているプログラムを実行することにより各種の機能が実現されている。なお、担当選定コンピュータ１１及び評価コンピュータ１３は、夫々が複数台のコンピュータを用いて構成されていることもある。提案者コンピュータ１０、担当選定コンピュータ１１、審査コンピュータ１２、及び評価コンピュータ１３は、夫々が独立したコンピュータであってもよいし、１つのコンピュータを、上記４種のコンピュータのうちの２種以上のコンピュータとして機能させるようにすることもできる。
【００２２】
図３は各コンピュータにおいて実現されている機能（ソフトウエア）を示している。提案者コンピュータ１０では、業務改善提案の入力を受け付ける業務改善提案入力部１０１、受け付けた業務改善提案を記載したデータ（業務改善提案データ）を担当選定コンピュータ１１に送信するデータ送信部１０２、が実現されている。担当選定コンピュータ１１では、提案者コンピュータ１０から送信されてくる業務改善提案データを受信するデータ受信部１１１、受信した業務改善提案データを審査する審査担当者が操作する審査コンピュータ１２を選定する担当選定部１１２、選定した審査コンピュータ１２に業務改善提案データを送信するデータ送信部１１３、が実現されている。このうち担当選定部１１２には、さらに部門データベース１１２１、担当者データベース１１２２、用語検索部１１２３等の諸機能が含まれている。審査コンピュータ１２では、担当選定コンピュータ１１から送信されてくる業務改善提案データを受信するデータ受信部１２１、受信した業務改善提案データの審査項目別の評価点の入力を審査担当者から受け付ける評価点入力部１２２、受け付けた評価点を評価コンピュータ１３に送信する評価点送信部１２３が実現されている。評価コンピュータ１３では、審査コンピュータ１２から送信されてくる上記評価点を受信する評価点受信部１３１、受信した評価点を審査項目別に重みづけして合計することにより評価値を算出する評価値算出部１３２が実現されている。
【００２３】
図４に部門データベース１１２１の一例を示している。部門データベース１１２１には、部門を特定する部門コード１１２１１、その部門が担当する業務に関する用語１１２１２（以下、第一の用語と称する）、及び部門名称１１２１３が対応づけて登録されている。図５に担当者データベース１１２２の一例を示している。担当者データベース１１２２には、部門コード１１２２１、審査コンピュータ１２のネットワークアドレス１１２２２（審査コンピュータのＩＤ）、審査担当者の氏名１１２２３、その審査担当者が過去に行った審査回数１１２２４、審査コンピュータを使用して前記業務改善提案の審査する担当者の専門分野に関する用語１１２２５（以下、第二の用語と称する）が対応づけて登録されている。上記ネットワークアドレスとしては、例えば、ホスト名やＩＰアドレスが用いられる。なお、部門データベース１１２１及び担当者データベース１１２２の内容は、担当選定コンピュータ１１の管理者によって適宜最新の内容に更新されている。
【００２４】
次に、以上の構成からなる業務改善提案審査システム１の動作について、図６に示すフローチャートとともに説明する。まず、業務改善提案を提案した提案者によって、業務改善提案の内容が提案者コンピュータに入力される（Ｓ６１１）。この入力は、業務改提案入力部１０１が表示装置２５に表示する入力画面（以下、業務改善提案入力画面と称する）に必要な事項を入力することにより行われる。図７に業務改善提案入力画面の一例を示している。業務改善提案入力画面７００には、提案者の氏名の欄７０１、提案者の所属の欄７０２、題名の欄７０３、業務改善提案の概要（現在の状況、改善案、効果）の欄７０４、キーワードの欄７０５、入力した内容を送信する際に操作される送信ボタン７０６、作業を中断したい場合に操作されるキャンセルボタン７０７等が設けられている。なお、キーワードの欄７０５には、当該業務改善提案を審査する部門や審査を行う担当者の選定に際して利用される文字列が入力される。業務改善提案入力画面７００に入力された内容は、提案者が送信ボタン７０６を操作したのに応じて、所定のデータフォーマットのデータ（以下、業務改善提案データと称する）として、データ送信部１１１によって担当選定コンピュータ１１に送信される（Ｓ６１２）。
【００２５】
図８に業務改善提案データのデータフォーマットを示している。業務改善提案データ８００には、提案者の氏名の欄７０１に入力された文字列である氏名８０１、提案者の所属の欄７０２に入力された文字列である所属８０２、題名の欄７０３に入力された文字列である題名８０３、業務改善提案の概要（現在の状況、改善案、効果）の欄７０４に入力された文字列である概要８０４、キーワードの欄７０５の欄に入力された文字列であるキーワード８０５が含まれている。
【００２６】
提案者コンピュータ１０から送信されてくる業務改善提案データ８００は、担当選定コンピュータ１１のデータ受信部１１１によって受信される（Ｓ６１３）。次に、担当選定コンピュータ１１の担当選定部１１２によって、受信した業務改善提案データ８００が審査される審査コンピュータ１２を選定する処理が開始される。まず、担当選定部１１２の用語検索部１１２３が、部門データベース１１２１に登録されている用語１１２１２の中から業務改善提案データ８００に含まれている題名８０３、概要８０４を記述している単語、キーワード８０５のうちの少なくともいずれかに一致又は類似する第一の用語を検索する（Ｓ６１４）。なお、用語検索部１１２３は、概要８０４を構成している文字列について、これに形態素解析を施すことにより概要８０４を記述している単語を抽出する。また、上記類似するかどうかの判断は、例えば、単語間の類似度が付記された類義語を登録したデータベース（類義語辞書）を参照し、類似度が閾値以上である場合にそれらの単語が類似すると判断するアルゴリズムを用いて行われる。このアルゴリズムに関連する技術については、例えば、特開２０００−２５９６２７号公報等に詳述されている。
【００２７】
また、上記検索のうち題名８０３については、題名８０３を構成している全ての文字列と部門データベース１１２１の第一の用語とを比較するようにしてもよいし、概要８０４の場合と同じように形態素解析により題名８０３を構成している文字列から単語を抽出し、抽出した単語と第一の用語とを比較するようにしてもよい。
【００２８】
また、上記検索は、例えば、題名８０３、概要８０３を記述している単語、キーワード８０５の順で行われる。すなわち、まず、題名８０３に一致又は類似する第一の用語を部門データベース１１２１から検索する。当該検索によって検索結果が得られない場合には、次に、概要８０４を記述している単語に一致又は類似する第一の用語を部門データベース１１２１から検索する。そして、当該検索によって検索結果が得られない場合には、次にキーワード８０５に一致又は類似する第一の用語を部門データベース１１２１から検索する。なお、上記検索は、まず、キーワード８０５に一致又は類似する第一の用語を部門データベース１１２１から検索し、当該検索によって検索結果が得られない場合には、次に題名８０３に一致又は類似する第一の用語を部門データベース１１２１から検索し、さらに、当該検索によって検索結果が得られない場合には、概要８０４を記述している単語に一致又は類似する第一の用語を部門データベース１１２１から検索するようにすることもできる。
【００２９】
次に、用語検索部１１２３が、担当者データベース１１２２から業務改善提案データ８００の審査を行う審査担当者が操作する審査コンピュータ１２を選定する（Ｓ６１５）。ここでこの選定は、担当者データベース１１２２から、部門データベース１１２１から検索された第一の用語１１２１２に対応づけられている部門コード１１２１１について対応づけられているネットワークアドレス１１２２２のうち、最も少ない審査回数１１２２４が対応づけられているものを選定することにより行われる。なお、この選定方法は、担当者データベース１１２２の部門コード１１２１１に対応づけて登録されている審査担当者の審査能力に差がない場合に有効である。もし審査担当者の審査能力に差がある場合には、担当者データベース１１２２から、検索された第一の用語１１２１２に対応づけられている部門コード１１２１１に対応づけられている審査コンピュータ１２のネットワークアドレス１１２２２のうち、業務改善提案データ８００に含まれている題名８０３、概要８０４を記述している単語、キーワード８０５のうちの少なくともいずれかに一致又は類似する第二の用語１１２２５が対応づけられているものを選定する。
【００３０】
審査コンピュータ１２が選定されると、次に、担当選定コンピュータ１１のデータ送信部１１３が、選定された審査コンピュータ１２に向けて業務改善提案データ８００を送信する（Ｓ６１６）。送信された業務改善提案データ８００は、審査コンピュータ１２の評価点入力部１２２によって受信される（Ｓ６１７）。業務改善提案データ８００を受信すると、次に、評価点入力部１２２は、審査担当者から受信した業務改善提案データ８００を表示装置２５に表示するとともに、受信した業務改善提案データ８００についての評価点の入力を受け付ける（Ｓ６１８）。
【００３１】
ここでこのときの評価点の入力は、例えば、統一された基準（以下、評価点数基準と称する）に従って行われる。図９はそのような評価点数基準の一例である。この評価点数基準９００では、評価点を着眼点、現状分析、創意工夫、改善効果の４つの審査項目９０１別に算定するように定められている。なお、評価点数基準９００には、後述する審査項目ごとに設定される重み９１０も併記されている。
【００３２】
図１０は、評価点の入力に際して審査コンピュータ１２が表示装置２５に表示する入力画面（以下、評価点入力画面１０００と称する）の一例である。評価点入力画面１０００には、着眼点についての評価点の入力欄１００１、現状分析についての評価点の入力欄１００２、創意工夫についての評価点の入力欄１００３、改善効果についての評価点の入力欄１００４、総評の入力欄１００５、入力した内容を送信する際に操作される送信ボタン１００６、作業を中断したい場合に操作されるキャンセルボタン１００７等が設けられている。評価点入力画面１０００の入力内容は、審査担当者が送信ボタン１００６を操作したのに応じて、所定のデータフォーマットのデータ（以下、評価データと称する）として、評価点送信部１２３によって評価コンピュータ１３に送信される（Ｓ６１９）。このときに送信される評価データのデータフォーマットを図１１に示している。評価データ１１００には、着眼点についての評価点の入力欄１００１に入力された評価点１１０１、現状分析についての評価点の入力欄１００２に入力された評価点１１０２、創意工夫についての評価点の入力欄１００３に入力された評価点１１０３、改善効果についての評価点の入力欄１００４に入力された評価点１１０４、総評の入力欄１００５に入力された文字列１１０５等が含まれている。
【００３３】
審査コンピュータ１２から送信されてくる評価データ１１００は、評価コンピュータ１３の評価点受信部１３１によって受信される（Ｓ６２０）。評価点受信部１３１によって評価データ１１００が受信されると、評価値算出部１３２は、受信した評価点を審査項目別に重みづけして合計することにより評価値を算出し（Ｓ６２１）、算出した評価値を表示装置２５に表示する（Ｓ６２２）。
【００３４】
図１２はこのときに表示装置２５に表示される画面（以下、評価値参照画面１２００と称する）である。評価値参照画面１２００には、「着眼点」についての重みの入力欄１２０１、「現状分析」についての重みの入力欄１２０２、「創意工夫」についての重みの入力欄１２０３、「改善効果」についての重みの入力欄１２０４、合計点（以下、評価値とも称する）の表示欄１２０５、評価点入力画面１０００において審査担当者が入力した総評の表示欄１２０６等が設けられている。なお、評価値の表示欄１２０５に表示される評価値は、各審査項目について入力された重みを、対応する審査項目の評価点に乗算し、このようにして求められる各審査項目についての値を合計することにより求められる。
【００３５】
表示装置２５に表示された評価値は、例えば、業務改善提案の管理を行っている管理部門等によって利用され、優れた業務改善提案を提案した者を表彰したり、その者に与える賞金の額を決定したりする目的等に適宜利用されることになる。
【００３６】
なお、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３７】
【図１】本発明の一実施形態による、業務改善提案審査システム１の概略的な構成を示す図である。
【図２】本発明の一実施形態による、提案者コンピュータ１０、担当選定コンピュータ１１、審査コンピュータ１２、及び評価コンピュータ１３として用いられるコンピュータのハードウエアの一例を示す図である。
【図３】本発明の一実施形態による、各コンピュータにおいて実現されている機能（ソフトウエア）を示す図である。
【図４】本発明の一実施形態による、部門データベース１１２１の一例を示す図である。
【図５】本発明の一実施形態による、に担当者データベース１１２２の一例を示す図である。
【図６】本発明の一実施形態による、業務改善提案審査システム１の動作を説明するフローチャートを示す図である。
【図７】本発明の一実施形態による、業務改善提案入力画面の一例を示す図である。
【図８】本発明の一実施形態による、業務改善提案データのデータフォーマットを示す図である。
【図９】本発明の一実施形態による、評価点数基準９００の一例を示す図である。
【図１０】本発明の一実施形態による、評価点入力画面１０００の一例を示す図である。
【図１１】本発明の一実施形態による、評価データのデータフォーマットを示す図である。
【図１２】本発明の一実施形態による、評価値参照画面１２００の一例を示す図である。
【符号の説明】
【００３８】
１    業務改善提案審査システム      ２    通信ネットワーク
１０    提案者コンピュータ          １１    担当選定コンピュータ
１２    審査コンピュータ            １３    評価コンピュータ
１０１  業務改善提案入力部          １０２  データ送信部
１１２  担当選定部                  １１３  データ送信部
１１２１  部門データベース          １１２２  担当者データベース
１１２３  用語検索部
７００  業務改善提案入力画面        ８００  業務改善提案データ
９００  評価点数基準                １０００  評価点入力画面
１１００  評価データ                １２００  評価値参照画面
【図１】
2006031242.tif 000003
【図２】
2006031242.tif 000004
【図３】
2006031242.tif 000005
【図４】
2006031242.tif 000006
【図５】
2006031242.tif 000007
【図６】
2006031242.tif 000008
【図７】
2006031242.tif 000009
【図８】
2006031242.tif 000010
【図９】
2006031242.tif 000011
【図１０】
2006031242.tif 000012
【図１１】
2006031242.tif 000013
【図１２】
2006031242.tif 000014